(57)【要約】【課題】安全性の向上を図る。【解決手段】光源ユニット１は、第１コネクタ１２、第２コネクタ７及び給電路の一部を覆うカバー部材（保護カバー１４）と、実装基板１１の端部に設けられてカバー部材を保持する保持部材（凹部１３２及び突部１３３）とを備える。カバー部材（保護カバー１４）で光源ユニット１の充電部（第１コネクタ１２、第２コネクタ７及び給電路の一部）を覆っているので、前記充電部に人の手が触れ難くなる。そのため、本実施形態の照明器具は、カバー部材（保護カバー１４）を備えない場合と比較して、安全性の向上を図ることができる。【選択図】        図１
2015222698.tif 000002
【特許請求の範囲】
【請求項１】
光源ユニットと、前記光源ユニットへの給電路の末端に設けられる第２コネクタと、前記光源ユニットを保持する器具本体とを備え、
前記光源ユニットは、１乃至複数個の固体発光素子と、前記固体発光素子の電極と電気的に接続され、且つ前記第２コネクタが着脱可能に接続される第１コネクタと、前記固体発光素子並びに前記第１コネクタが表面に実装される実装基板と、前記実装基板を支持して前記器具本体に取り付けられる取付部材と、前記第１コネクタ、前記第２コネクタ及び前記給電路の一部を覆うカバー部材と、前記実装基板の端部に設けられて前記カバー部材を保持する保持部材とを備えることを特徴とする照明器具。
【請求項２】
前記光源ユニットは、前記固体発光素子の配光を制御する配光制御部材を備え、前記保持部材は、前記配光制御部材と一体に設けられることを特徴とする請求項１記載の照明器具。
【請求項３】
前記カバー部材は、前記保持部材に押し当てられて撓む撓み部と、前記保持部材の一部に引っ掛けられる引掛部とを有することを特徴とする請求項１又は２記載の照明器具。
【請求項４】
前記給電路が電線で構成され、前記カバー部材は、前記電線を保持するように構成されることを特徴とする請求項１〜３の何れか１項に記載の照明器具。
【発明の詳細な説明】
【技術分野】
【０００１】
本発明は、照明器具に関し、特に固体発光素子を光源とする照明器具に関する。
【背景技術】
【０００２】
従来例として、特許文献１記載のＬＥＤ照明器具を例示する。この従来例は、矩形の金属板からなる取付台と、取付台の前面に取り付けられる４つの光源ユニットとを備える。光源ユニットは、複数個の発光ダイオードが実装されたプリント配線板と、プリント配線板が内部に収納されるハウジングと、プリント配線板から引き出されたリード線とを備える。
【０００３】
プリント配線板は略矩形平板状であって、四隅と中心と各辺の中央とに各々１個ずつで合計９個の発光ダイオードが表面に実装される。また、プリント配線板の裏面には、商用電源を整流平滑して発光ダイオードに直流電圧を印加するための回路素子（トランジスタや抵抗など）が実装されている。さらに、商用電源と接続するためのリード線や送り配線用のリード線がプリント配線板から引き出されている。そして、リード線の先端には他の光源ユニットのリード線と接続するためのコネクタが取り付けられている。なお、リード線及びコネクタは、隣り合った光源ユニットの間の空間（溝）に配置されている。
【０００４】
さらに、この従来例は、光源ユニットの光を拡散させる平板状の拡散パネルと、拡散パネルを支持する矩形枠状の器具本体とを備えている。
【先行技術文献】
【特許文献】
【０００５】
【特許文献１】特開２００７−５３０２７号公報
【発明の概要】
【発明が解決しようとする課題】
【０００６】
ところで、特許文献１記載の従来例において、拡散パネルが工具を使わずに器具本体から取り外し可能である場合、充電部であるコネクタに人が手を触れてしまう虞があるので、安全性の低下が懸念される。
【０００７】
本発明は、上記課題に鑑みて為された発明であり、安全性の向上を図ることを目的とする。
【課題を解決するための手段】
【０００８】
本発明の照明器具は、光源ユニットと、前記光源ユニットへの給電路の末端に設けられる第２コネクタと、前記光源ユニットを保持する器具本体とを備え、前記光源ユニットは、１乃至複数個の固体発光素子と、前記固体発光素子の電極と電気的に接続され、且つ前記第２コネクタが着脱可能に接続される第１コネクタと、前記固体発光素子並びに前記第１コネクタが表面に実装される実装基板と、前記実装基板を支持して前記器具本体に取り付けられる取付部材と、前記第１コネクタ、前記第２コネクタ及び前記給電路の一部を覆うカバー部材と、前記実装基板の端部に設けられて前記カバー部材を保持する保持部材とを備えることを特徴とする。
【発明の効果】
【０００９】
本発明の照明器具は、安全性の向上を図ることができるという効果がある。
【図面の簡単な説明】
【００１０】
【図１】本発明に係る照明器具の実施形態を示し、パネルを外した状態の下面図である。
【図２】同上における光源ユニットを示し、図２Ａは平面図、図２Ｂは側面図である。
【図３】同上における光源ユニットの要部の斜視図である。
【図４】同上における保護カバーの平面図である。
【図５】同上における光源ユニットの要部の平面図である。
【図６】同上における光源ユニットの要部の側面断面図である。
【図７】同上の側面図である。
【図８】図７のＣ−Ｃ線断面矢視図である。
【図９】同上の断面図である。
【図１０】同上におけるパネルの斜視図である。
【図１１】同上の施工状態の側面図である。
【図１２】同上における光源ユニットの別の構成を示す平面図である。
【図１３】同上における光源ユニットの別の構成の要部を示す斜視図である。
【発明を実施するための形態】
【００１１】
以下、本発明に係る照明器具の実施形態について、図面を参照して詳細に説明する。ただし、本実施形態では、天井埋込型の照明器具を例示しているが、天井直付け形や天井以外の造営材（壁や床など）に取り付けられる照明器具などにも本発明の技術思想が適用可能であることは言うまでも無い。
【００１２】
本実施形態の照明器具は、図１に示すように光源ユニット１と器具本体２とを備える。また、本実施形態の照明器具は、枠３、パネル４、電源ユニット５などを備えることが好ましい。ただし、以下の説明においては、特に断りの無い限り、図１及び図７において上下左右前後の各方向を規定し、図１の紙面に垂直な方向を上下方向とし、手前を下とする。
【００１３】
まず、光源ユニット１について、図１〜図６を参照して詳細に説明する。
【００１４】
光源ユニット１は、複数個の発光ダイオード（ＬＥＤ）１０と、矩形の実装基板１１と、レセプタクルコネクタ（第１コネクタ）１２と、保護カバー１４と、取付板１５とを備える。光源ユニット１は、さらに、レンズブロック（配光制御部材）１３と、反射シート１６とを備えることが好ましい。
【００１５】
ＬＥＤ１０は、従来周知であるパッケージ型の白色ＬＥＤである。これら複数個のＬＥＤ１０は、実装基板１１の下面に形成されたランド（図示せず）に電極（アノード電極及びカソード電極）が半田接合されることで実装基板１１の下面に実装（表面実装）される。
【００１６】
実装基板１１は、前記ランドが一定の間隔で縦横に並べて形成されるとともに各ランドを電気的に接続する導電体（銅箔）が下面に形成されている。また、実装基板１１の下面における前方の左右方向中央に、第１コネクタ１２が実装されている。第１コネクタ１２は、導電体を介して全てのＬＥＤ２０と電気的に接続されており、後述するプラグコネクタ（第２コネクタ７）と着脱可能に接続される。ただし、必ずしも全てのランドにＬＥＤ２０が実装される必要は無く、いくつかのランドを間引いてＬＥＤ２０が実装されても構わない。
【００１７】
反射シート１６は、合成ゴムや合成樹脂などの絶縁材料からなるシート材の表面（下面）に反射率が相対的に高い物質からなる反射層が形成されてなる。反射シート１６には、ＬＥＤ２０及びランドを露出させる貫通孔（図示せず）が縦横に並べて形成されている。すなわち、反射シート１６が実装基板１１の下面側に配置されることにより、ＬＥＤ２０から放射される光が反射シート１６によって下方へ反射される。
【００１８】
レンズブロック１３は、図１に示すようにＬＥＤ２０の光を拡散する複数（図示例では６４個）のレンズ１３０と、これら複数のレンズ１３０を結合する結合部材１３１とが透光性を有する合成樹脂（例えば、アクリル樹脂）によって一体に成形されてなる。
【００１９】
結合部材１３１は、第１コネクタ１２を逃げるための凹部１３２が前側の左右方向の中央に設けられている。また、凹部１３２の前端側における左右両側の部位に一対の突部１３３が設けられている。これら一対の突部１３３は、Ｌ字形であって、互いの先端（下端）同士を向き合わせるように結合部材１３１と一体に形成されている（図２参照）。なお、これら一対の突部１３３は、上下方向から見て第１コネクタ１２の差込口側（前側）の端部と重なる長さ及び位置に設けられている（図２Ａ参照）。
【００２０】
レンズブロック１３は、実装基板１１及び反射シート１６とともに取付板１５にねじ止めして取り付けられる。取付板１５は、矩形の金属板で構成される。取付板１５の左右両縁における前後方向の中央に、それぞれ切欠が形成されている。また、取付板１５の前縁には、３つの固定片１５０が左右方向に等間隔に並べて設けられている。これら３つの固定片１５０は、何れも矩形の平板状に形成されている。ただし、左右両端の２つの固定片１５０の前端縁に、矩形の凹み１５１が形成されている。さらに、取付板１５の後端部の左右方向における中央に、ねじ挿通孔（図示せず）が設けられている。
【００２１】
第１コネクタ１２には、プラグコネクタ（第２コネクタ７）が着脱可能に接続される。第２コネクタ７は、２芯の被覆電線からなる電線６の先端に設けられる。この電線６は、電源ユニット５の出力端子（出力用の端子台５４）と電気的に接続され、電源ユニット５から光源ユニット１への給電路を形成している。ただし、電線６の途中にコネクタ６０が設けられており、電線６は、コネクタ６０によって分離可能に構成されている。
【００２２】
保護カバー１４は、図５に示すように、第１コネクタ１２、第２コネクタ７及び電線６の一部を覆うように構成される。保護カバー１４は、図４に示すように、フッ素樹脂などの合成樹脂材料により、鍵形に形成されている。ただし、保護カバー１４は、全体が白色に着色されるか、あるいは白色の材料で形成されることが好ましい。
【００２３】
保護カバー１４は、角が丸められた矩形平板状の主部１４０と、台形状の撓み部１４１と、主部１４０の一端縁と撓み部１４１の下底部分とを連結する帯状の連結部１４２とが一体に形成されている。主部１４０には、円形の貫通孔１４４が左右方向に並ぶように形成されている。なお、連結部分において、撓み部１４１の幅寸法が連結部１４２の幅寸法よりも大きくなっている。そして、撓み部１４１において、連結部１４２の外側にはみ出した部分が引掛部１４３となる。
【００２４】
次に、光源ユニット１の組立手順について説明する。まず、作業者は、ＬＥＤ１０が実装された実装基板１１の下面に反射シート１６を載せ、さらに、反射シート１６を挟むように実装基板１１の下面にレンズブロック１３を被せる。そして、作業者は、実装基板１１の上面を取付板１５に密着させ、且つレンズブロック１３の凹部１３２を、取付板１５の中央の固定片１５０と前後方向に隣り合わせるようにして、実装基板１１とレンズブロック１３と反射シート１６を取付板１５にねじ止めする。
【００２５】
続いて、作業者は、中央の固定片１５０に設けられている通線孔１５２に電線６及び第２コネクタ７を上から下に通した後、一対の突部１３３の間を潜らせて、第２コネクタ７を第１コネクタ１２に差込接続する（図５参照）。
【００２６】
次に、作業者は、一対の突部１３３の間に保護カバー１４の撓み部１４１を潜らせ、撓み部１４１の先端（後端）を凹部１３２の側壁に押し当てて撓み部１４１を下向きに撓ませつつ、一対の引掛部１４３をそれぞれ突部１３３の後端に引っ掛ける（図５参照）。この状態において、保護カバー１４は、合成樹脂材料の弾性力により、撓み部１４１が凹部１３２の側壁と一対の突部１３３との間で保持される。つまり、凹部１３２及び一対の突部１３３が、保護カバー１４を保持する保持部材に相当する。
【００２７】
而して、図５に示すように、第１コネクタ１２、第２コネクタ７及び電線６の一部が保護カバー１４で覆われるので、充電部（第１コネクタ１２、第２コネクタ７及び電線６の一部）に人が触れることを防ぐことができる。
【００２８】
続いて、作業者は、中央の固定片１５０に形成されている一対の挿通孔１５３と、保護カバー１４の主部１４０に設けられた一対の貫通孔１４４とに結束バンド１７を挿通し、この結束バンド１７で電線６及び主部１４０を固定片１５０に括り付ける（図６参照）。
【００２９】
以上のようにして、光源ユニット１の組立が完了する。
【００３０】
次に、図１及び図７〜図１１を参照して、器具本体２、並びに光源ユニット１以外の構成（枠３、パネル４、電源ユニット５など）について説明する。
【００３１】
まず、器具本体２について説明する。器具本体２は、一対の側部２０と、側部２０同士を連結する一対の連結部２１と、固定部２２と、支持部材２３とを備える。
【００３２】
側部２０は、矩形平板状の壁板２００と、壁板２００の上縁から水平に突出する天板２０１と、壁板２００の下縁から天板２０１と反対向きに突出する外鍔２０２と、壁板２００の前後両端縁から天板２０１と同じ向きに突出する一対の側板２０３とを有する。なお、壁板２００と天板２０１と外鍔２０２と側板２０３とは、金属板が曲げ加工されることで一体に形成されることが好ましい。
【００３３】
一対の連結部２１は、長尺且つ矩形の金属板が長手方向に沿ってＬ字形に曲げ加工されて形成されている。そして、一対の連結部２１は、長手方向の両端がそれぞれ側部２０の天板２０１及び側板２０３にねじ止めされている。つまり、一対の側部２０は、一対の連結部２１により、左右方向に対向するようにして連結される（図７参照）。
【００３４】
固定部２２は、金属製の板材により、下面が開口した長尺の矩形箱状に形成されている。固定部２２は、長手方向の両端部において、各側部２０の天板２０１にねじ止めされて側部２０と固定される。また、固定部２２の底板の中央に、可動ナット２２０が設けられている（図９参照）。
【００３５】
壁板２００の前後方向における中央部分に、枠取付部材２４が設けられている（図１１参照）。枠取付部材２４は、後述するキックばね３２を介して、枠３が着脱可能に取り付けられる。また、枠取付部材２４は、壁板２００に対して、上下方向に沿ってスライド可能に設けられている。つまり、枠取付部材２４が壁板２００に対して上下方向の位置を変えることにより、器具本体２に対する枠３の高さ位置が調整可能となる。
【００３６】
支持部材２３は、金属材料により、底板２３０、左側板２３１、右側板２３２、前側板２３３、後側板２３４を有して下面が開放された矩形の箱状に形成されている（図７及び図８参照）。また、支持部材２３は、前側板２３３の下端縁から水平且つ外向きに突出する第１支持板２３５と、後側板２３４の下端縁から水平且つ外向きに突出する第２支持板２３６とを有している。
【００３７】
底板２３０の下面に電源端子台８が取り付けられている（図８参照）。また、底板２３０には、電源ケーブル（図示せず）が挿通されるケーブル挿通孔２３００が貫通している。つまり、ケーブル挿通孔２３００に挿通される電源ケーブルが電源端子台８に結線され、電源端子台８から引き出された電線８０を介して、電源ユニット５に交流電力が供給される。なお、このケーブル挿通孔２３００にはブッシング２３９が嵌め込まれており、ブッシング２３９によって電源ケーブルが保護されている。
【００３８】
また、前側板２３３には、電源ユニット５が取り付けられている。電源ユニット５は、電源基板５２と、電源基板５２を収納するケース５０とを有する。電源基板５２は、長尺の矩形板状に形成されたプリント配線板からなる。このプリント配線板には、交流電力を直流電力に変換するコンバータなどを構成するために必要な回路部品(例えばトランスやダイオード、コンデンサなど)が実装されている。また、電源基板５２は、長手方向の一端側に電源用の端子台５１と信号用の端子台５３が実装され、長手方向の他端側に出力用の端子台５４が実装されている。なお、これらの端子台５１，５３，５４は、ケース５０の長手方向の両端から外部に露出している（図９参照）。
【００３９】
第１支持板２３５には、矩形の貫通孔２３５０が長手方向に沿って等間隔に並べて設けられている。これら３つの貫通孔２３５０のうち、両端の２つの貫通孔２３５０の前端縁には、内向きに突出する突片２３５１がそれぞれ設けられている（図８参照）。また、第２支持板２３６には、長手方向の中央に１つのねじ孔２３６０が設けられている。
【００４０】
上述のように構成される支持部材２３は、２組のボルト２３７とナット２３８によって、固定部２２にねじ止めされる（図８及び図９参照）。
【００４１】
枠３は、枠本体３０と、一対のばね取付部３１と、一対のキックばね３２とを有する。枠本体３０は、４枚の矩形の金属板により、矩形の枠状に形成されている。キックばね３２は、両端が延ばされたねじりコイルばねで構成される。ばね取付部３１は、キックばね３２を支持して枠本体３０に取り付けられる。キックばね３２は、両端を上に向けてばね取付部３１に支持される。
【００４２】
パネル４は、図１０に示すようにパネル本体４０と、一対の取付片４１とを有する。パネル本体４０は、アクリル樹脂等の透光性を有する材料で矩形平板状に形成されている。なお、パネル本体４０は、拡散剤の混入等の方法により、光源ユニット１から放射される光を拡散するように構成されることが好ましい。また、一対の取付片４１は、パネル本体４０の側縁の中央からそれぞれ上向きに立ち上がるように、パネル本体４０と一体に形成されている。各取付片４１は、一対の爪４１０を上部の両端に有している。これら一対の爪４１０は、枠３のばね取付部３１に取り付けられている受け金（図示せず）に着脱可能に引っ掛かるように構成されている。
【００４３】
次に、本実施形態の照明器具の施工手順について説明する。まず、作業者は、下地天井９０に設けられる埋込孔（図示せず）内に、支持部材２３を除く器具本体２を挿入し、固定部２２の可動ナット２２０を吊りボルト９２に締め付けることで器具本体２を吊りボルト９２に固定する（図１１参照）。このとき、器具本体２の各側部２０の外鍔２０２は、下地天井９０の表面（下面）に当たることが好ましい。
【００４４】
続いて、作業者は、２組のボルト２３７及びナット２３８を用いて、支持部材２３を器具本体２の固定部２２に固定した後、電源端子台８に電源ケーブルを結線する。そして、作業者は、キックばね３２を枠取付部材２４に引っ掛けることで器具本体２に枠３を取り付ける。
【００４５】
次に、作業者は、光源ユニット１を器具本体２に取り付ける。すなわち、作業者は、コネクタ６０を介して光源ユニット１の電線６と電源ユニット５の出力用の端子台５４を接続した後、取付板１５の３つの固定片１５０を第１支持板２３５の３つの貫通孔２３５０に挿入する。このとき、両端の貫通孔２３５０の突片２３５１が、両端の固定片１５０の凹み１５１に嵌まる。そして、作業者は、取付板１５のねじ挿通孔にねじ２５を挿通し、このねじ２５を第２支持板２３６のねじ孔２３６０に締め込むことで光源ユニット１を取付板１５に取り付ける（図１参照）。
【００４６】
最後に、作業者は、枠３のばね取付部３１に取り付けられている受け金に爪４１０を引っ掛けることにより、パネル４を枠３に取り付ける。以上の手順で照明器具の施工が完了する。なお、照明器具の施工完了後、下地天井９０の下面に仕上げ天井９１が施工され、器具本体２の外鍔２０２が仕上げ天井９１で覆い隠される（図１１参照）。
【００４７】
本実施形態の照明器具において、パネル４は、工具を用いずに手で器具本体２から取り外すことができる。そして、パネル４が取り外された状態では、光源ユニット１の充電部（第１コネクタ１２と第２コネクタ７と電線６の一部）が露出してしまう可能性がある。
【００４８】
そこで本実施形態の照明器具では、光源ユニット１の充電部を露出させないように、保護カバー１４で前記充電部を覆っている。その結果、本実施形態の照明器具は、光源ユニット１の充電部に人の手が触れ難くなるので、保護カバー１４が無い場合と比較して、安全性の向上を図ることができる。
【００４９】
本実施形態の照明器具は、光源ユニット１と、光源ユニット１への給電路（電線６）の末端に設けられる第２コネクタ７と、光源ユニット１を保持する器具本体２とを備える。光源ユニット１は、１乃至複数個の固体発光素子（発光ダイオード１０）と、固体発光素子の電極と電気的に接続され、且つ第２コネクタ７が着脱可能に接続される第１コネクタ１２とを備える。また、光源ユニット１は、固体発光素子並びに第１コネクタ１２が表面に実装される実装基板１１と、実装基板１１を支持して器具本体２に取り付けられる取付部材（取付板１５）とを備える。さらに、光源ユニット１は、第１コネクタ１２、第２コネクタ７及び給電路の一部を覆うカバー部材（保護カバー１４）と、実装基板１１の端部に設けられてカバー部材を保持する保持部材（凹部１３２及び突部１３３）とを備える。
【００５０】
本実施形態の照明器具は上述のように構成され、カバー部材（保護カバー１４）で光源ユニット１の充電部（第１コネクタ１２、第２コネクタ７及び給電路の一部）を覆っているので、前記充電部に人の手が触れ難くなる。そのため、本実施形態の照明器具は、カバー部材（保護カバー１４）を備えない場合と比較して、安全性の向上を図ることができる。
【００５１】
また、本実施形態の照明器具において、光源ユニット１は、固体発光素子の配光を制御する配光制御部材（レンズブロック１３）を備えることが好ましい。さらに、本実施形態の照明器具において、保持部材（凹部１３２及び突部１３３）は、配光制御部材（レンズブロック１３）と一体に設けられることが好ましい。
【００５２】
本実施形態の照明器具が上述のように構成されれば、保持部材が配光制御部材と別体に設けられる場合と比較して、部品点数の削減による製造コストの削減を図ることができる。
【００５３】
さらに、本実施形態の照明器具において、カバー部材（保護カバー１４）は、保持部材（凹部１３２）に押し当てられて撓む撓み部１４１と、保持部材の一部（突部１３３）に引っ掛けられる引掛部１４３とを有することが好ましい。
【００５４】
本実施形態の照明器具が上述のように構成されれば、工具を使わずに、カバー部材（保護カバー１４）を容易に保持部材に保持させることができる。
【００５５】
なお、本実施形態の照明器具において、給電路が電線６で構成されることが好ましい。さらに、本実施形態の照明器具において、カバー部材（保護カバー１４）は、電線６を保持するように構成されることが好ましい。本実施形態の照明器具が上述のように構成されれば、電線６に加わる力から第１コネクタ１２及び第２コネクタ７を保護することができる。
【００５６】
ところで、保護カバー１４を保持する保持部材は、レンズブロック１３と別体（別部品）に構成されても構わない。例えば、図１２及び図１３に示すように、レンズブロック１３の端部に矩形の凹所１３４が設けられ、この凹所１３４に保持部材１８が嵌め込まれることが好ましい。ただし、第１コネクタ１２は、凹所１３４の端に位置している。
【００５７】
保持部材１８は、凹部１３２及び突部１３３と同一形状の凹部１８０及び突部１８１を備えることが好ましい。そして、保持部材１８は、凹部１８０の内側に第１コネクタ１２を収めるようにして、実装基板１１に固定されることが好ましい。
【００５８】
保護カバー１４は、撓み部１４１の先端が凹部１８０の側壁に押し当てられて撓み部１４１が撓み、且つ一対の引掛部１４３がそれぞれ突部１８１の後端に引っ掛けられることで保持部材１８に保持される。
【符号の説明】
【００５９】
１  光源ユニット
２  器具本体
６  電線（給電路）
７  プラグコネクタ（第２コネクタ）
１０  発光ダイオード（固体発光素子）
１１  実装基板
１２  レセプタクルコネクタ（第１コネクタ）
１４  保護カバー（カバー部材）
１５  取付板（取付部材）
１３２  凹部（保持部材）
１３３  突部（保持部材）
【図１】
2015222698.tif 000003
【図２】
2015222698.tif 000004
【図３】
2015222698.tif 000005
【図４】
2015222698.tif 000006
【図５】
2015222698.tif 000007
【図６】
2015222698.tif 000008
【図７】
2015222698.tif 000009
【図８】
2015222698.tif 000010
【図９】
2015222698.tif 000011
【図１０】
2015222698.tif 000012
【図１１】
2015222698.tif 000013
【図１２】
2015222698.tif 000014
【図１３】
2015222698.tif 000015